(57)【要約】  【課題】片ヘアカット技術の上達に資することのできる低コストのヘアカット練習教材を提供する。  【解決手段】ヘアカット練習教材１は、頭部模型９０に被せられてヘアカットの練習に使用されるヘアカット練習教材１において、複数の細長いシート状模擬髪１０〜８０を備え、模擬髪１０〜８０は、複数のシート片１１〜１３等を積み重ねて、隣接するシート片１１〜１３等同士を先端側が枝分かれするように連結した構造である。模擬髪１０〜８０は、表面層から下層に行くに従って、シート片１１〜１３等の枝分かれの分岐部分が先端側に移動している。【選択図】図１
2019000183.tif 000002
【特許請求の範囲】
【請求項１】
頭部模型に被せられてヘアカットの練習に使用されるヘアカット練習教材において、
複数の細長いシート状模擬髪を備え、
前記模擬髪は、複数のシート片を積み重ねて、隣接する前記シート片同士を先端側が枝分かれするように連結した構造であることを特徴とするヘアカット練習教材。
【請求項２】
前記模擬髪は、表面層から下層に行くに従って、前記シート片の枝分かれの分岐部分が先端側に移動していることを特徴とする請求項１記載のヘアカット練習教材。
【請求項３】
複数の前記模擬髪は、根元側が一体に連結され、平面上で展開したときに前記模擬髪が所定の中心から放射線状に広がるように構成されていることを特徴とする請求項１又は２記載のヘアカット練習教材。
【請求項４】
前記模擬髪の前記シート片は、前記頭部模型に被せた状態で、隣接する他の前記模擬髪の前記シート片と重ならないように、根元側が根元端に近付くに従って細くなる細長い略三角形状であることを特徴とする請求項１乃至３何れか１項記載のヘアカット練習教材。
【請求項５】
前記シート片には、長手方向に先端まで延在するミシン線が形成されており、
前記シート片は、前記ミシン線を切り離すことで、さらに、細いシート片に分割可能であることを特徴とする請求項１乃至４何れか１項記載のヘアカット練習教材。
【請求項６】
前記模擬髪は、複数の前記シート片の幅が、表面層から下層にいくに従って、同一又は細くなっていることを特徴とする請求項１乃至５何れか１項記載のヘアカット練習教材。
【発明の詳細な説明】
【技術分野】
【０００１】
本発明は、ヘアカットの練習に使用するヘアカット練習教材に関する。
【背景技術】
【０００２】
髪のカットを練習するための道具として、人間の頭部模型に人毛や人工毛を植毛したカットウィッグが従来から広く提供されている。また、下記特許文献１には、頭部模型に被せて使用される人毛が植毛されたシートを備えるカバーウィッグが開示されている。
【０００３】
しかし、人毛や人工毛を用いるカット用のウィッグは、製造に手間がかかるため、高価であり、理容・美容学校の学生が練習用に使用するにはコスト的な負担が大きい。
【０００４】
これに対して、下記特許文献２には、低コストでヘアカットの練習を行うための、頭部模型に対して帯状シートを回動可能に連結した理美容技術練習具が開示されている。この理美容技術練習具では、カットされた帯状シートを新しいシートに交換すれば、低コストで繰り返し使用することができる。
【先行技術文献】
【特許文献】
【０００５】
【特許文献１】特開２０１０−３５８８９号公報
【特許文献２】特許第５２１５１８６号公報
【発明の概要】
【発明が解決しようとする課題】
【０００６】
しかし、特許文献２に開示された理美容技術練習具では、使用に際して各帯状シートを1枚ずつ頭部模型表面に固定された連結具に取り付ける必要があり、非常に手間がかかる。
【０００７】
また、特許文献２に開示された理美容技術練習具では、帯状シートを取りつける位置の間隔が長く、帯状シート間の隙間も大きいため、この理美容技術練習具でヘアカットの練習を行ってもなかなか技術が上達し難い。
【０００８】
本発明は、このような課題に鑑みてなされたものであり、ヘアカット技術の上達に資することのできる低コストのヘアカット練習教材を提供することを目的とする。
【課題を解決するための手段】
【０００９】
上記課題を解決するための本発明に係るヘアカット練習教材は、頭部模型に被せられてヘアカットの練習に使用されるヘアカット練習教材において、複数の細長いシート状模擬髪を備え、前記模擬髪は、複数のシート片を積み重ねて、隣接する前記シート片同士を先端側が枝分かれするように連結した構造であることを特徴とする。
【発明の効果】
【００１０】
本発明に係るヘアカット練習教材によれば、複数層のシート片からなる模擬髪を用いることで、低コストでヘアカット技術の上達に資することができる。
【図面の簡単な説明】
【００１１】
【図１】図１は、本発明の実施形態に係るヘアカット練習教材の斜視図である。
【図２】図２は、本発明の実施形態に係るヘアカット練習教材を平面上で広げた状態を示す図である。
【図３】図３は、本発明の実施形態に係る本実施形態に係る中央連結部材を示す図である。
【図４】図４は、本発明の実施形態に係る第一ゾーン模擬髪の展開図である。
【図５】図５は、本発明の実施形態に係る第二ゾーン模擬髪の展開図である。
【図６】図６は、本発明の実施形態に係る第三ゾーン模擬髪の展開図である。
【図７】図７は、本発明の実施形態に係る第四ゾーン模擬髪の展開図である。
【図８】図８は、本発明の実施形態に係る第五ゾーン模擬髪の展開図である。
【図９】図９は、本発明の実施形態に係る第六ゾーン模擬髪の展開図である。
【図１０】図１０は、本発明の実施形態に係る第七ゾーン模擬髪の展開図である。
【図１１】図１１は、本発明の実施形態に係る第八ゾーン模擬髪の展開図である。
【図１２】図１２は、本発明の実施形態に係る第五ゾーン模擬髪の構成を示す図である。
【図１３】図１３は、本発明の実施形態に係る第二〜第四ゾーン模擬髪の構成を示す図である。
【図１４】図１４は、本発明の実施形態に係るヘアカット練習教材の構成を示す図である。
【発明を実施するための形態】
【００１２】
以下、図面を参照しながら、本発明の実施形態について説明する。本実施形態に係るヘアカット練習教材は、細長いシート片を頭髪に見立ててカットすることで、ヘアカットの理論を学びながら練習を行い、カット技術の向上を図ることができるものである。使用時には、人間の頭の形をした頭部模型（マネキンヘッド）にヘアカット練習教材を被せて固定した状態で使用される。
【００１３】
図１は、本実施形態に係るヘアカット練習教材の斜視図であり、頭部模型に被せた使用状態を示している。図２は、本実施形態に係るヘアカット練習教材を平面上で広げた状態を示す図である。図３は、本実施形態に係る中央連結部材を示す図である。図４は、本実施形態に係る第一ゾーン模擬髪の展開図である。
【００１４】
同様に、図５は第二ゾーン模擬髪の展開図、図６は第三ゾーン模擬髪の展開図、図７は第四ゾーン模擬髪の展開図、図８は第五ゾーン模擬髪の展開図、図９は第六ゾーン模擬髪の展開図、図１０は第七ゾーン模擬髪の展開図、図１１は第八ゾーン模擬髪の展開図である。
【００１５】
図１２は、本実施形態に係る第五ゾーン模擬髪の構成を示す図であり、第一レイヤー紙片〜第七レイヤー紙片を後方に引っ張った状態を示している。図１３は、本実施形態に係る第二〜第四ゾーン模擬髪の構成を示す図であり、頭部模型への固定部分を示している。
【００１６】
ヘアカット練習教材１は、中央連結部材９と、第一ゾーン模擬髪１０と、第二ゾーン模擬髪２０と、第三ゾーン模擬髪３０と、第四ゾーン模擬髪４０と、第五ゾーン模擬髪５０と、第六ゾーン模擬髪６０と、第七ゾーン模擬髪７０と、第八ゾーン模擬髪８０とを備えている。
【００１７】
第一〜第八ゾーン模擬髪１０〜８０は、細長いシート状の模擬髪である。中央連結部材９と第一〜第八ゾーン模擬髪１０〜８０は全て紙製である。もちろん、これらの材料は紙に限定されるものではなく、不織布、フェルト、布等の他の材料であっても良く、シート状のものであれば適宜採用することができる。
【００１８】
中央連結部材９は、第一〜第八ゾーン模擬髪１０〜８０の根元側端部を固定して連結するための正八角形の紙片であり、中心点回りに、45°の等角度で各模擬髪１０〜８０を接着して連結する部分である三角形状の第一〜第八ゾーン連結領域９Ａ〜９Ｈが配置されている。
【００１９】
第一連結領域９Ａは、第一ゾーン模擬髪１０の根元端を接着する部分であり、同様に、第二連結領域９Ｂは第二ゾーン模擬髪２０、第三連結領域９Ｃは第三ゾーン模擬髪３０、第四連結領域９Ｄは第四ゾーン模擬髪４０、第五連結領域９Ｅは第五ゾーン模擬髪５０、第六連結領域９Ｆは第六ゾーン模擬髪６０、第七連結領域９Ｇは第七ゾーン模擬髪７０、第八連結領域９Ｈは第八ゾーン模擬髪８０の根元端を接着する部分である。
【００２０】
本実施形態では、第一ゾーン模擬髪１０が頭部前面に位置する前髪に相当し、第五ゾーン模擬髪５０が頭部後面に位置する後ろ髪に相当し、第二〜第四ゾーン模擬髪２０〜４０は右側面の頭髪、第六〜第八ゾーン模擬髪６０〜８０は、左側面の頭髪に相当する。
【００２１】
よって、図３に示すように、第一連結領域９Ａが前側（図３において上側）に設置されると共に、第五連結領域９Ｅが後側（図３において下側）に設置され、前側から後側にかけて右側に時計回りに第二連結領域９Ｂ、第三連結領域９Ｃ、第四連結領域９Ｄが配置されている。また、前側から後側にかけて左側に反時計回りに第六連結領域９Ｆ、第七連結領域９Ｇ、第八連結領域９Ｈが配置されている。
【００２２】
第一〜第八ゾーン模擬髪１０〜８０を中央連結部材９で連結して構成されたヘアカット練習教材を平面上で広げると、図２に示すように、中心に位置する中央連結部材９に根元端が連結された第一〜第八ゾーン模擬髪１０〜８０が45°間隔で放射線状に広がる。ゾーン模擬髪１０〜８０は、使用時に頭部模型９０に被せられて頭部表面に沿って下方に垂れても、隣接するゾーン模擬髪１０〜８０同士が重畳しないように構成されており、根元端に近付くに従って細くなっている。
【００２３】
第一ゾーン模擬髪１０は、複数枚の細長いシート片である紙片１１〜１３が積み重ねられた多層構造であり、複数枚の細長レイヤー紙片１１〜１３等は、少なくとも根元端部が中央連結部材９に糊で接着されて連結されている。
【００２４】
同様に、第二〜第八ゾーン模擬髪２０〜８０は、複数枚の細長いシート片である紙片２１〜２４，３１〜３５，４１〜４６，５１〜５７，６１〜６４，７１〜７５，８１〜８６が積み重ねられた多層構造であり、複数枚の細長レイヤー紙片２１〜２４等は、少なくとも根元端部が中央連結部材９に糊で接着されて連結されている。第一〜第八ゾーン模擬髪２０〜８０において、糊で接着される接着領域４は、図４〜図１１において、「のりしろ」として囲まれている領域である。
【００２５】
各レイヤー紙片１１〜１３等は、全体として細長い帯状シート片であり、根元側は両側辺が外側に凸の円弧状で根元端が尖った細長い略三角形状である。また、各レイヤー紙片１１〜１３等の先端側は、等幅で延在する細長い帯状である。
【００２６】
このように、細長レイヤー紙片１１〜１３等は、根元側の略三角形部１１Ａ〜１３Ａ等と、先端側の等幅部１１Ｂ〜１３Ｂ等とから構成されている。細長レイヤー紙片１１〜１３等の略三角形部１１Ａ〜１３Ａ等の部分は、8枚からなる帽子の型紙の形状と近似しており、頭部表面を8分割した形状と近似している。
【００２７】
レイヤー紙片１１〜１３等は、全長が40cmであり、略三角形部１１Ａ〜１３Ａ等の長さが約7cm、等幅部１１Ｂ〜１３Ｂ等の長さが約13cmである。等幅部１１Ｂ〜１３Ｂ等の幅は、65mm、60mm、55mm、50mmの4種類のタイプがあり、表面層側に幅広タイプのレイヤー紙片１１〜１３等が配置され、下層に行くに従って同一又は細いレイヤー紙片１１〜１３等が配置されている。
【００２８】
これは、頭部表面に沿って曲がっているレイヤー紙片１１〜１３等の曲率半径が表面層よりも下層に行くほど小さくなり、隣のゾーンのレイヤー紙片１１〜１３等と近付くため、隣接するレイヤー紙片１１〜１３等同士が重畳しないようにするためである。
【００２９】
図４に示すように、第一ゾーン模擬髪１０は、三層構造であり、表面側から順に重ねられた、第一レイヤー紙片１１、第二レイヤー紙片１２及び第三レイヤー紙片１３を備えており、根元側の接着領域４において、積層方向に隣接するレイヤー紙片１１〜１３同士が接着連結されている。
【００３０】
第一ゾーン模擬髪１０の第一レイヤー紙片１１、第二レイヤー紙片１２及び第三レイヤー紙片１３の等幅部１１Ｂ〜１３Ｂの幅は全て65mmである。なお、各レイヤー紙片１１〜１３に表面に描かれている数字は、スラッシュの左側の数字がゾーンの番号、右側の数字がレイヤーの番号を示しており、以下、第二〜第八ゾーン模擬髪２０〜８０においても同じである。
【００３１】
第一ゾーン模擬髪１０では、第一レイヤー紙片１１と第二レイヤー紙片１２とが、第二レイヤー紙片１２上に描かれた接着領域４において接着され、第二レイヤー紙片１２と第三レイヤー紙片１３とが、第三レイヤー紙片１３上に描かれた接着領域４において接着される。
【００３２】
ここで、接着領域４の根元端（上端）の位置は、第一レイヤー紙片１１と第二レイヤー紙片１２との接着と、第二レイヤー紙片１２と第三レイヤー紙片１３との接着とで同じであるが、先端（下端）の位置は、下層に位置する第二レイヤー紙片１２と第三レイヤー紙片１３との接着の方が先端側に移動している。
【００３３】
これは、実際の人間の頭髪では、表面層側の髪の毛の生えている位置が頭頂部に近い上方であり、下層に行くにしたがって髪の毛の生えている位置が下方に下さがるため、このような構造に近付けるためである。
【００３４】
よって、第一レイヤー紙片１１を上方に引っ張ると、接着領域４の先端（下端）の位置まで第二レイヤー紙片１２から離して引っ張り上げることができ、この接着領域４の先端の位置から生えている髪の毛のように扱うことができる。
【００３５】
同じく、第二レイヤー紙片１２は、第二レイヤー紙片１２と第三レイヤー紙片１３との接着領域４の先端（下端）の位置から生えている髪の毛のように扱うことができる。
【００３６】
なお、第三レイヤー紙片１３を上方に引っ張った場合、後述する押しピンにより頭部模型に固定されている押しピン固定部５まで引っ張ることができる。これにより、第一ゾーン模擬髪１０の生え際を表しており、第三レイヤー紙片１３を押しピン固定部５の位置の生え際から生えている髪の毛のように扱うことができる。
【００３７】
以下、第二〜第八ゾーン模擬髪２０〜８０においても、第一ゾーン模擬髪１０と同じように、表面層から下層にいくに従って、レイヤー紙片２１〜２４等同士の連結領域の先端（下端）の位置を先端側に移動させている。
【００３８】
このように、本実施形態では、複数のレイヤー紙片１１〜１３等が接着領域４の先端で枝分かれするように構成し、表面層から下層に行くに従って、レイヤー紙片１１〜１３等の枝分かれの分岐部分を先端側に移動させており、これにより、ゾーン模擬髪１０〜８０を実際の頭髪の構造に近付けている。
【００３９】
図５に示すように、第二ゾーン模擬髪２０は、四層構造であり、表面側から順に重ねられた第一レイヤー紙片２１、第二レイヤー紙片２２、第三レイヤー紙片２３及び第四レイヤー紙片２４を備えており、根元側端部を含む接着領域４において、隣接するレイヤー紙片２１〜２４同士が糊付けにより接着連結され、接着領域４の先端位置は、下層に行くに従って先端側に移動している。
【００４０】
第二ゾーン模擬髪２０の第一レイヤー紙片２１の等幅部２１Ｂの幅は65mm、第二レイヤー紙片２２の等幅部２２Ｂの幅は60mm、第三レイヤー紙片２３及び第四レイヤー紙片２４の等幅部２３Ｂ，２４Ｂの幅は55mmである。
【００４１】
図６に示すように、第三ゾーン模擬髪３０は、五層構造であり、表面側から順に重ねられた第一レイヤー紙片３１、第二レイヤー紙片３２、第三レイヤー紙片３３、第四レイヤー紙片３４及び第五レイヤー紙片３５を備えており、根元側端部を含む接着領域４において、隣接するレイヤー紙片３１〜３５同士が糊付けにより接着連結され、接着領域４の先端位置は、下層に行くに従って先端側に移動している。
【００４２】
第三ゾーン模擬髪３０の第一レイヤー紙片３１及び第二レイヤー紙片３２の等幅部３１Ｂ，３２Ｂの幅は65mm、第三レイヤー紙片３３、第四レイヤー紙片３４及び第五レイヤー紙片３５の等幅部３３Ｂ，３４Ｂ，３５Ｂの等幅部の幅は60mmである。
【００４３】
図７に示すように、第四ゾーン模擬髪４０は、六層構造であり、表面側から順に重ねられた第一レイヤー紙片４１、第二レイヤー紙片４２、第三レイヤー紙片４３、第四レイヤー紙片４４、第五レイヤー紙片４５及び第六レイヤー紙片４６を備えており、根元側端部を含む接着領域４において、隣接するレイヤー紙片４１〜４６同士が糊付けにより接着連結され、接着領域４の先端位置は、下層に行くに従って先端側に移動している。
【００４４】
第四ゾーン模擬髪４０の第一レイヤー紙片４１の等幅部４１Ｂの幅は65mm、第ニレイヤー紙片４２の等幅部４２Ｂの幅は60mm、第三レイヤー紙片４３、第四レイヤー紙片４４及び第五レイヤー紙片４５の等幅部４３Ｂ，４４Ｂ，４５Ｂの幅は55mm、第六レイヤー紙片４６の等幅部４６Ｂの幅は50mmである。
【００４５】
図８に示すように、第五ゾーン模擬髪５０は、七層構造であり、表面側から順に重ねられた第一レイヤー紙片５１、第二レイヤー紙片５２、第三レイヤー紙片５３、第四レイヤー紙片５４、第五レイヤー紙片５５、第六レイヤー紙片５６及び第七レイヤー紙片５７を備えており、根元側端部を含む接着領域４において、隣接するレイヤー紙片５１〜５７同士が糊付けにより接着連結され、接着領域４の先端位置は、下層に行くに従って先端側に移動している。
【００４６】
第五ゾーン模擬髪５０の第一レイヤー紙片５１の等幅部５１Ｂの幅は65mm、第二レイヤー紙片５２の等幅部５２Ｂの幅は60mm、第三レイヤー紙片５３、第四レイヤー紙片５４、第五レイヤー紙片５５及び第六レイヤー紙片５６の等幅部５３Ｂ，５４Ｂ，５５Ｂ，５６Ｂの幅は55mm、第七レイヤー紙片５７の等幅部５７Ｂの幅は50mmである。  
【００４７】
第六ゾーン模擬髪６０〜第八ゾーン模擬髪８０は、第一ゾーン模擬髪１０と第五ゾーン模擬髪５０の中心を通る中央線を対称軸として、第二ゾーン模擬髪２０〜第四ゾーン模擬髪４０と線対称の構成である。
【００４８】
すなわち、第六ゾーン模擬髪６０は、第二ゾーン模擬髪２０と同様の構成であって、第一レイヤー紙片６１〜第四レイヤー紙片６４を備え、第七ゾーン模擬髪７０は、第三ゾーン模擬髪３０と同様の構成であって、第一レイヤー紙片７１〜第五レイヤー紙片７５を備え、第八ゾーン紙片８０は、第四ゾーン模擬髪４０と同様の構成であって、第一レイヤー紙片８１〜第六レイヤー紙片８６を備えている。
【００４９】
このように、頭部前面に位置する三層構造の第一ゾーン模擬髪１０から頭部後面に位置する七層構造の第５ゾーン模擬髪５０にかけて、後ろにいくほど模擬髪１０〜８０のレイヤーの数が増えるのは、後ろにいくほど頭髪の生え際が下がっており、頭髪面積の広がりに対応するためである。
【００５０】
ここで、レイヤー紙片１１〜１３等の最下層又は最下層から2番目の層のレイヤー紙片１３，２３，２４等の表面の所定の場所には、ヘアカット練習教材１を頭部模型９０に被せて使用する際に、レイヤー紙片１３，２３，２４等を頭部模型９０に固定する固定場所となる押しピン固定部５が描かれている。
【００５１】
図４〜図１１に示すように、押しピン固定部５は、第一ゾーン模擬髪１０の第三レイヤー紙片１３の二箇所、第二及び第六ゾーン模擬髪２０，６０の第三レイヤー紙片２３，６３の一箇所と第四レイヤー紙片２４，６４の一箇所、第三及び第七ゾーン模擬髪３０，７０の第五レイヤー紙片３５，７５の二箇所に形成されている。
【００５２】
また、押しピン固定部５は、第四及び第八ゾーン模擬髪４０，８０の第六レイヤー紙片４６，８６の二箇所、第五ゾーン模擬髪５０の第七レイヤー紙片５７の二箇所に形成されている。
【００５３】
この押しピン固定部５を押しピン（画鋲）で固定することで、頭髪の生え際を表現することができる。例えば、図１２に示すように、第五ゾーン模擬髪５０の最下層に位置する第七レイヤー紙片５７の二箇所の押しピン固定部５を押しピン９１で頭部模型９０に固定すると、第七レイヤー紙片５７を生え際である押しピン固定部５の位置から生えている髪の毛のように扱うことができる。
【００５４】
そして、第七レイヤー紙片５７の根元端から押しピン固定部５までの部分は頭部模型９０の表面に密着し、カットすることはできず、押しピン固定部５から先端までの部分が頭部模型９０から離れてカット可能な部分となる。
【００５５】
また、頭部の生え際が斜めになっている場所に対応する第二及び第六ゾーン模擬髪２０，６０においては、押しピン９１での固定部も斜めとなるように、前側に位置する押しピン固定部５を第三レイヤー紙片２３，６３に形成し、後側に位置する押しピン固定部５を第四レイヤー紙片２４，６４の一段下がった箇所に形成している。
【００５６】
また、図３〜図１１において、各レイヤー紙片１１〜１３等の長手方向おいて中心を通る破線３は切り離し線として機能するミシン目３である。ミシン目３は、各紙片１１〜１３等の中央連結部材９に接着される根元端部を除いて長手方向において根元から先端まで連続して形成されており、このミシン目３に沿って各紙片１１〜１３等を二枚に分割することができる。なお、ミシン目３は、各レイヤー紙片１１〜１３等の実質的なカット対象部分となる枝分かれの分岐部分から先端側だけに形成すれば良い。
【００５７】
また、図２〜図１１に示すように、各レイヤー紙片１１〜１３等の表面には、ヘアカットを行う際の目安のガイドとなるセクションライン６が印刷されている。セクションライン６は、髪の毛の高さ方向の位置であるセクション（段、角度）を表す水平レベル線であり、ヘアカット練習教材１を頭部模型９０にセットした際に、セクションライン６は所定の同じ高さで頭部回りに連続してつながるように描かれている。
【００５８】
以上、ヘアカット練習教材１の構成について説明したが、続いて、ヘアカット練習教材１の使用手順について説明する。ヘアカットの練習を行う際には、まず、ヘアカット練習教材１を頭部模型９０に対して適切にセットする必要がある。具体的には、ヘアカット練習教材１を人間の頭部を模したマネキンヘッドである頭部模型９０の上に被せる（図１参照）。
【００５９】
このとき、第一ゾーン模擬髪１０が頭部模型９０の前頭部（前面）中央に、第五ゾーン模擬髪５０が頭部模型９０の後頭部（後面）中央に位置すると共に、中央連結部材９の中心が頭部模型９０の頭頂部に位置するように被せる。このとき、ヘアカットの練習中にヘアカット練習教材１が頭部模型９０に対してずれたりしないように、中央連結部材９の中心部分を押しピン９１等で頭部模型９０に固定すると良い。
【００６０】
続いて、押しピン９１を使って、全ての押しピン固定部５を頭部模型９０に順次固定する。上述したように、各ゾーン模擬髪１０〜８０の最下層以外のレイヤー紙片１１〜１３等に押しピン固定部５が設置されている場合（第三レイヤー紙片２３，６３）には、そのレイヤー紙片２３，６３よりも下層側のレイヤー紙片２４，６４も一緒に押しピン９１が貫通されて頭部模型９０に対して固定されることになる。
【００６１】
上述したように、押しピン固定部５は頭髪の生え際に対応する部分に形成されており、押しピン固定部５を頭部模型９０に固定することで、ゾーン模擬髪１０〜８０をより実際の頭髪の構造に近付けることができる。
【００６２】
以上の作業により、ヘアカット練習教材１のセットが完了し、ヘアカットの練習を開始することができる。近年、ヘアカットの技術習得のためには、頭部表面を複数の領域に分割し、領域毎に分けてヘアカット技法を学ぶことが効果的であると提唱されており、例えば、「Zone and Section」といったヘアカットの技術理論も提案されている。
【００６３】
本実施形態では、ヘアカット練習教材１が水平方向において頭部回りに8つのゾーンに分割されると共に、鉛直方向において所定の角度毎に複数のセクションに分けられているため、ヘアカットの練習を行う者は、頭髪のどの領域（ゾーン及びセクション）をカットしているかを容易に認識しながら使用することができ、ヘアカットの技術理論を分かり易く学びながらカット練習を行うことができる。
【００６４】
また、ヘアカット練習教材１が複数のゾーン及びセクションに分割されていることで、教える側も各領域を指定しながらカット技法を教えることができ、指導効率も良くなる。
【００６５】
ここで、頭髪をカットするときには、下方から上方へ、下層から上層へとカットしていくのが基本であるが、各ゾーン模擬髪１０〜８０が複数層から構成されているので、下層のレイヤー紙片１３，２４，３５等をカットする際には、カットする層よりも上層のレイヤー紙片１１，２１，３１等を上方に引っ張り上げてピンで固定しておく、といった実際のヘアカットに近い作業を学ぶこともできる。
【００６６】
また、本実施形態では、各レイヤー紙片１１〜１３等に二つの紙片に分割するためのミシン目３が形成されており、使用者がミシン目３を切り離すだけで、8分割のゾーンをさらに16ゾーンに分割することができ、より実際の頭髪の構造に近付けることができる。図１４は、16ゾーンに分割した状態のヘアカット練習教材１の構成を示す図である。
【００６７】
例えば、ヘアカット技術に習熟していない初心者がヘアカット練習教材１を使用する際には、ミシン目３を分割しないでそのまま使用し、上級者が使用する場合には、ミシン目３を切り離して16ゾーンとして使用することで，一種類のヘアカット練習教材１で初心者と上級者の双方に対応することができる。
【００６８】
以上、本発明の実施形態について説明したが、本発明の実施の形態は、上記実施形態に限定されるものではなく、本発明の主旨を逸脱しない範囲内で種々の変形が可能である。例えば、ヘアカット練習教材を構成する各部材の形状やサイズ、素材等は適宜変更可能である。
【００６９】
また、上記実施形態では、8つのゾーン模擬髪の根元端を中央連結部材で連結して一体構成としているが、各ゾーン模擬髪の根元端をそれぞれ頭部模型に固定するようにしても良い。
【００７０】
また、上記実施形態では、頭部回りを8つのゾーン、16のゾーンに分割する場合について説明したが、分割するゾーンの数は適宜変更可能であり、例えば、5つや10のゾーンであっても良い。
【符号の説明】
【００７１】
１          ヘアカット練習教材
９          中央連結部材
１０        第一ゾーン模擬髪
１１〜１３  レイヤー紙片
２０        第二ゾーン模擬髪
２１〜２４  レイヤー紙片
３０        第三ゾーン模擬髪
３１〜３５  レイヤー紙片
４０        第四ゾーン模擬髪
４１〜４６  レイヤー紙片
５０        第五ゾーン模擬髪
５１〜５７  レイヤー紙片
６０        第六ゾーン模擬髪
６１〜６４  レイヤー紙片
７０        第七ゾーン模擬髪
７１〜７５  レイヤー紙片
８０        第八ゾーン模擬髪
８１〜８６  レイヤー紙片
３          ミシン目
４          接着領域
５          押しピン固定部
６          セクションライン
９０        頭部模型
９１        押しピン
【図１】
2019000183.tif 000003
【図２】
2019000183.tif 000004
【図３】
2019000183.tif 000005
【図４】
2019000183.tif 000006
【図５】
2019000183.tif 000007
【図６】
2019000183.tif 000008
【図７】
2019000183.tif 000009
【図８】
2019000183.tif 000010
【図９】
2019000183.tif 000011
【図１０】
2019000183.tif 000012
【図１１】
2019000183.tif 000013
【図１２】
2019000183.tif 000014
【図１３】
2019000183.tif 000015
【図１４】
2019000183.tif 000016